(57)【要約】【課題】  プリンタから出力される画像情報の入力装置毎に課金管理するものとそうでないものとに分類して、複合機が設置先において、事務機器として使用される場合とそうでない場合とに応じて、課金管理を行うか否か決定する画像情報出力システム及び記録媒体を提供する。【解決手段】  画像情報を入力する第１の画像情報入力部１５と、インターフェース１４を介して外部から画像情報を入力する第２の画像情報入力部１１と、第１又は第２の画像情報入力部１１、１５から入力される画像情報を出力する画像情報出力部１２と、画像情報出力部１２から出力される画像情報に対する課金管理を行う課金管理部１３とを備えた画像情報出力システムであって、課金管理部１３は、第２の画像情報入力部１１から入力されて画像情報出力部１２から出力される画像情報に対する課金処理を行わない。【選択図】      図１
2004312778.tif 000002
【特許請求の範囲】
【請求項１】
画像情報を入力する第１の画像情報入力部と、インターフェースを介して外部から画像情報を入力する第２の画像情報入力部と、第１又は第２の画像情報入力部から入力される画像情報を出力する画像情報出力部と、該画像情報出力部から出力される画像情報に対する課金管理を行う課金管理部とを備えた画像情報出力システムであって、
上記課金管理部は、第２の画像情報入力部から入力されて画像情報出力部から出力される画像情報に対する課金処理を行わないことを特徴とする画像情報出力システム。
【請求項２】
上記第１の画像情報入力部から入力される画像情報を画像情報出力部から出力する際に、課金管理部による課金処理を行わない非課金モードとすることができる請求項１記載の画像情報出力システム。
【請求項３】
上記第２の画像情報入力部に課金処理を行わない非課金識別情報が入力されると、非課金モードとなる請求項２記載の画像情報出力システム。
【請求項４】
上記第１の画像情報入力部に課金処理を行わない非課金識別情報が入力されると、非課金モードとなる請求項３記載の画像情報出力システム。
【請求項５】
上記画像情報出力部において一方の画像情報入力部から入力された画像情報の出力を行っているときは、他方の画像情報入力部から入力された画像情報の出力を禁止する出力併用禁止手段を備える請求項１記載の画像情報出力システム。
【請求項６】
上記第２の画像情報入力部は、データベースから検索して得た情報を入力することができ、そして、検索して得た情報を画像情報出力部から出力する際に、検索して得た情報に応じて課金処理を行う第２の課金管理部を備える請求項１記載の画像情報出力システム。
【請求項７】
上記第２の課金管理部が画像情報出力部から出力される検索して得た情報に基づいて課金処理を行わない第２非課金モードとすることができる請求項４記載の画像情報出力システム。
【請求項８】
画像情報を入力する第１の画像情報入力部と、インターフェースを介して外部から画像情報を入力する第２の画像情報入力部と、第１又は第２の画像情報入力部から入力される画像情報を出力する画像情報出力部と、該画像情報出力部から出力される画像情報に対する課金管理を行う課金管理部とを備えた画像情報出力システムに使用される記録媒体であって、
第２の画像情報入力部から入力されて画像情報出力部から出力される画像情報に対する課金処理を行わない機能、第１の画像情報入力部から入力される画像情報を画像情報出力部から出力する際に、課金管理部による課金処理を行わない非課金モードとする機能、画像情報出力部において一方の画像情報入力部から入力された画像情報の出力を行っているときは、他方の画像情報入力部から入力された画像情報の出力を禁止する機能、データベースから検索して得た情報を画像情報出力部から出力する際に、検索して得た情報に応じて課金処理を行う機能、又は、第２の課金管理部が画像情報出力部から出力される検索して得た情報に基づいて課金処理を行わない第２非課金モードとする機能、をコンピュータに実現させるためのプログラムを記録したコンピュータ読取可能な記録媒体。
【発明の詳細な説明】
【技術分野】
【０００１】
本発明は、スキャナ、プリンタ、ネットワーク機器などから構成される画像情報出力システムに関するものであり、例えば、コピー、ファクシミリ、プリンタなどの機能を一体化したデジタル複合機に関し、出力サービスの環境と事務機器としての環境で効率よくシステムを動作させることのできる複合機に関するものである。
【背景技術】
【０００２】
近年では、コピー、ファクシミリ、プリンタなどの機能を一体化したデジタル複合機が商品化され、一般のオフィスにおいては事務機器として設置され、文書のコピーから文書データのプリントアウトそして文書のファクシミリ送受信と、１台の装置により複数のアプリケーション機能を効率よく動作させるものとして設置されている。また、コンビニエンスストアーなど多くの利用者が訪れるお店では、コピーサービス用の装置として設置され、その他の情報をプリントアウトする端末としても利用されている。
【０００３】
このような中、装置の使用料を管理するシステムとして、例えば特開平１０−２２４５９３号公報（リコー）には、複合機として搭載されている複数のアプリケーション機能別に使用料金を集計し、課金を行うことができる複合機が記載されている。
【０００４】
しかしながら、特許文献１のシステムでは、従来からある複写機の課金システムを複合機として複合化された複数のアプリケーション機能毎に備え、ファクシミリ、コピー、プリンタの機能毎に分類して管理できるようにして、それぞれの機能毎の使用料を簡単に把握できるだけのものである。
【０００５】
そのために、新たなシステムを提案するといったこともなく、従来からある各種機器を１台の機器に集約し、従来からの課金システムをこの複合機においても使用できるようにしただけのものである。
【特許文献１】特開平１０−２２４５９３号公報
【発明の開示】
【発明が解決しようとする課題】
【０００６】
本発明は、従来の問題点を解決するものであり、プリンタから出力される画像情報の入力装置毎に課金管理するものとそうでないものとに分類して、複合機が設置先において、事務機器として使用される場合とそうでない場合とに応じて、課金管理を行うか否か決定する画像情報出力システム及び記録媒体を提供することを目的とする。
【課題を解決するための手段】
【０００７】
本発明は、画像情報を入力する第１の画像情報入力部と、インターフェースを介して外部から画像情報を入力する第２の画像情報入力部と、第１又は第２の画像情報入力部から入力される画像情報を出力する画像情報出力部と、該画像情報出力部から出力される画像情報に対する課金管理を行う課金管理部とを備えた画像情報出力システムであって、上記課金管理部は、第２の画像情報入力部から入力されて画像情報出力部から出力される画像情報に対する課金処理を行わない画像情報出力システムである。
【０００８】
これにより、例えばコピーサービスとして使用されるデジタル複合機をネットワークプリンタとして提供することができる。
【０００９】
また、本発明は、上記第１の画像情報入力部から入力される画像情報を画像情報出力部から出力する際に、課金管理部による課金処理を行わない非課金モードとすることができる画像情報出力システムである。
【００１０】
これにより、例えばコピーサービスとしてデジタル複合機を提供している環境下においても、設置先の関係者であれば自由に（問題なく）使用することができる環境とすることができる。
【００１１】
そして、本発明は、上記第２の画像情報入力部には、課金処理を行わない非課金識別情報が入力されると、非課金モードとなる画像情報出力システムである。
【００１２】
更に、本発明は、上記第１の画像情報入力部に課金処理を行わない非課金識別情報が入力されると、非課金モードとなる画像情報出力システムである。
【００１３】
また、本発明は、上記画像情報出力部において一方の画像情報入力部から入力された画像情報の出力を行っているときは、他方の画像情報入力部から入力された画像情報の出力を禁止する出力併用禁止手段を備える画像情報出力システムである。
【００１４】
これにより、例えばコピーサービスとして出力装置を使用しているときは、プリントサービスとしての出力を待機させておくこととなり、別々の顧客の出力物が混ざるのを防ぐことができる。
【００１５】
そして、本発明は、上記第２の画像情報入力部は、データベースから検索して得た情報を入力することができ、そして、検索して得た情報を画像情報出力部から出力する際に、検索して得た情報に応じて課金処理を行う第２の課金管理部を備える画像情報出力システムである。
【００１６】
これにより、例えば情報検索サービスの端末のみの操作（課金処理）で所望する情報の出力が完了し、さらに、情報の有料化サービスに対応することができる。
【００１７】
更に、本発明は、上記第２の課金管理部が画像情報出力部から出力される検索して得た情報に基づいて課金処理を行わない第２非課金モードとすることができる画像情報出力システムである。
【００１８】
これにより、例えば有料情報提供サービスと無料情報提供サービスとの両方に対応できる。
【００１９】
また、本発明は、画像情報を入力する第１の画像情報入力部と、インターフェースを介して外部から画像情報を入力する第２の画像情報入力部と、第１又は第２の画像情報入力部から入力される画像情報を出力する画像情報出力部と、該画像情報出力部から出力される画像情報に対する課金管理を行う課金管理部とを備えた画像情報出力システムに使用される記録媒体であって、第２の画像情報入力部から入力されて画像情報出力部から出力される画像情報に対する課金処理を行わない機能、第１の画像情報入力部から入力される画像情報を画像情報出力部から出力する際に、課金管理部による課金処理を行わないことができるモードとする機能、画像情報出力部において一方の画像情報入力部から入力された画像情報の出力を行っているときは、他方の画像情報入力部から入力された画像情報の出力を禁止する機能、データベースから検索して得た情報を画像情報出力部から出力する際に、検索して得た情報に応じて課金処理を行う機能、又は、第２の課金管理部が画像情報出力部から出力される検索して得た情報に基づいて課金処理を行わない第２非課金モードとする機能、をコンピュータに実現させるためのプログラムを記録したコンピュータ読取可能な記録媒体である。
【発明の効果】
【００２０】
本発明によれば、プリンタから出力される画像情報の入力装置毎に課金管理するものとそうでないものとに分類して、複合機が設置先において、事務機器として使用される場合とそうでない場合とに応じて、課金管理を行うか否か決定する画像情報出力システムを得ることができる。
【発明を実施するための最良の形態】
【００２１】
本発明を実施するための最良の形態を説明する。
本発明の画像情報出力システムの実施例について、図１〜図５を用いて説明する。図１は、実施例１の画像情報出力システムの説明図である。図２は、実施例２の画像情報出力システムの説明図である。図３は、実施例３の画像情報出力システムの説明図である。図４は、実施例１〜３における出力装置の動作内容を例示したフロー説明図である。図５は、実施例３における情報端末の動作内容を例示したフロー説明図である。
【００２２】
実施例１を説明する。本実施例は、第１の画像情報入力部と、第２の画像情報入力部と、画像情報出力部と、課金管理部とを備えている画像情報出力システムであって、第１の画像情報入力部は、画像情報を入力する。第２の画像情報入力部は、インターフェースを介して外部から画像情報を入力する。画像情報出力部は、第１又は第２の画像情報入力部から入力される画像情報を出力する。課金管理部は、画像情報出力部から出力される画像情報に対する課金管理を行うとともに、第２の画像情報入力部から入力されて画像情報出力部から出力される画像情報に対する課金管理は行わない。また、画像情報出力部において一方の画像情報入力部から入力された画像情報の出力を行っているときは、他方の画像情報入力部から入力された画像情報の出力を禁止する出力併用禁止手段を備えている。
【００２３】
実施例１の画像情報出力システムについて、詳しく説明すると、図１に示すように、イメージコントロールユニット（ＩＣＵ）部１１と、プリントエンジン部（画像情報出力部）１２と、課金管理部１３と、インターフェース部（第２の画像情報入力部）１４と、スキャナ部（第１の画像情報入力部）１５と、操作部１６と、を備える出力装置１である。出力装置１は、インターフェース部１４を介してコンビニエンスストア店員の使用するＰＣ２１とＰＣ２２にネットワーク接続されている。出力装置１は、コンビニエンスストアに置かれる。ＩＣＵ部１１は、スキャナ部１５から入力された画像情報に処理を施し、プリントエンジン部１２に画像情報を送り、また、インターフェース部１４から入力された画像情報に処理を施し、プリントエンジン部１２に画像情報を送る。プリントエンジン部１２は、ＩＣＵ部１１より受け取った画像情報の出力を行う。課金管理部１３は、ＩＣＵ部１１より処理された画像に関するデータを受け取り、出力装置として出力する処理に対する課金処理を施す。操作部１６は、スキャナ部１５及び出力装置１の操作を行う。以上により、出力装置１は、コンビニエンスストアの顧客に対してコピーサービスを提供することができる。さらに、出力装置１は、インターフェース部１４を介してコンビニエンスストア店員の使用するＰＣ２１とＰＣ２２にネットワーク接続されており、そして、ＩＣＵ部１１は、インターフェース部１４からに入力された画像情報に処理を施してプリントエンジン部１２に画像情報を送り、プリントエンジン部１２は、ＩＣＵ部１１より受け取った画像情報の出力を行う。これにより、出力装置１は、コンビニエンスストア店員向けの出力装置として利用できる。さらに、スキャナ部１５より画像情報を読み込んで、出力装置１にて画像処理を施して出力する（コピーを行う）際、同時に、操作部１６より任意の店員識別情報（非課金識別情報）を入力することにより、課金管理部１３がＩＣＵ部１１を介して、上記識別情報を認識した場合には、課金処理を行わない（非課金モード）。また、ＩＣＵ部１１は、インターフェース部１４から送られてきた画像情報が出力中のときは、スキャナー部１５から送られてきた画像情報の出力処理を待機させ、インターフェース部１４から送られてきた画像情報の出力終了後に、スキャナー部１５から送られてきた画像情報の出力処理を実行させる。本実施例においては、出力併用禁止手段を備えているため、コンビニエンスストア店員の出力物と、顧客が行ったコピーの出力物とが混ざってしまうことを防止できる。
【００２４】
実施例２を説明する。本実施例の画像情報出力システムは、図２に示すように、実施例１（図１参照）の出力装置１に、インターフェース部１４を介して、ＰＣ２３に接続され、さらにＰＣ２３は、インターネットを通じてコンビニエンスストアの本社データベース４に接続されている。本社データベース４より、ＰＣ２３に情報が送られてきた場合、さらに、ＰＣ２３より出力装置１に上記情報を送信し出力しようとした場合、ＩＣＵ部１１は、出力装置１がスキャナー部１５からの画像情報を出力中であるか否かを判断し、画像情報を出力中であればＰＣ２３からの出力を待機し、画像情報を出力中でなければ、出力を実行する。さらに、ＩＣＵ部１１は、ＰＣ２３から送られてきた画像情報を、プリントエンジン部１２に送らずに保持しておき、操作部１６より任意の店員識別情報を入力し、出力指示が行われた場合に、前記識別情報が、ＩＣＵ部１１にて認証された場合にのみ、出力を実行する。以上により、コンビニエンスストア店員の出力物と、顧客が行ったコピーの出力物が混ざるのを防止するとともに、より確実にタイミングよく出力物を手に入れることができ、顧客への秘密文書の漏洩防止も可能となる。
【００２５】
実施例３を説明する。本実施例の画像情報出力システムは、図３に示すように、実施例１（図１参照）の出力装置１に、インターフェース部１４を介して、コンビニエンスストア内に設置された情報端末３に接続されている状態を示している。情報端末３は、情報表示部３１、操作部３２、課金管理部（第２の課金管理部）３３、ＣＰＵ部３４を兼ね備え、インターネット等を介して、データベース５に接続されている。コンビニエンスストアの顧客は、情報端末３を使用して、データベース５内の情報を検索することができる。データベース５内の所望の情報を、出力装置１にて出力する場合、情報端末３のＣＰＵ部３３が出力指示を確認後、所望の情報の画像情報を出力装置１に送信する。さらに、情報端末３の課金管理部３４は、ＣＰＵ部３３より前記画像情報に関する情報を取得し、その画像データに関して課金処理を行うか否かを判断し、必要な場合にのみ必要なだけの課金処理を行う。前記画像情報はインターフェース部１４を介して、出力装置１に送られ出力処理されるが、このとき、出力装置１の課金管理部１３による課金は行わない（第２非課金モード）。以上により、情報端末３側のみの操作（課金処理）で所望する情報の出力指示が可能となり、さらに、有料情報提供サービスと無料情報提供サービスとの、両方のサービスに対応できる。
【００２６】
実施例１〜３における出力装置１の動作内容の一例について、図４のフロー説明図を用いて説明する。
Ｓ１０１）出力装置１は、画像情報が入力されるのを待機しており、入力されるとスタートする。
Ｓ１０２）画像情報の入力が確認された場合、その画像情報が第１のモード（スキャナから送られてきた（コピー））かどうか判断し、第１のモードであるときはステップＳ１０３に進み、第１のモードではないときは、ステップＳ１０９に進む。
Ｓ１０３）特定のモード（コンビニエンスストア店員による操作モード）かどうかを判断し、特定のモードであるときは、ステップＳ１１２に進み、特定のモードではないときは、ステップＳ１０４に進む。
Ｓ１０４）課金処理をスタートさせる。
Ｓ１０５）第１のモード（コピー）以外のモード（プリンタモード）で出力装置１が使用中の場合は、その動作が終了するのを監視しながら待機し、第１のモード（コピー）以外のモード（プリンタモード）にて使用中でないことが確認されると、ステップＳ１０６に進む。
Ｓ１０６）第１のモード（コピーモード）の出力処理を開始する。
Ｓ１０７）第１のモードの出力処理が終了する。
Ｓ１０８）第１のモードの出力処理に対する課金清算処理を行い、動作を終了する。
Ｓ１０９）出力装置１が第１のモード（コピーモード）で使用中かどうかを監視し、第１のモードで出力装置が使用中の場合は、その動作が終了するのを監視しながら待機し、第１のモードにて使用中でないことが確認された後、ステップＳ１１０に進む。
Ｓ１１０）第１のモード以外（プリンタモード）の出力処理を開始する。
Ｓ１１１）出力動作が終了し、動作を終了する。
Ｓ１１２）特定のモード（コンビニエンスストア店員による操作モード）による出力の場合であり、出力装置１が第１のモード（コピーモード）以外のモード（プリンタモード）で使用中かどうかを監視し、第１のモード以外のモードで出力装置が使用中の場合は、その動作が終了するのを監視しながら待機し、第１のモード以外のモードにて使用中でないことが確認された後、ステップＳ１１３に進む。
Ｓ１１３）第１のモード（コピーモード）の出力処理を開始する。
Ｓ１１４）出力動作が終了し、動作を終了する。
【００２７】
実施例３における情報端末３の動作内容の一例について、図５のフロー説明図を用いて説明する。
Ｓ２０１）情報端末３は、コンビニエンスストアの店員または顧客からの情報取得要求の指示を受けるとスタートする。
Ｓ２０２）データベース５に所望の情報を検索しに行く。
Ｓ２０３）検索された情報が特定の情報（コンビニエンスストアの店員向けの情報）かどうかを判断し、特定の情報であるときはステップＳ２１１に進み、特定の情報でない（顧客向けの情報である）場合、ステップＳ２０４に進む。
Ｓ２０４）検索された情報に対しての課金処理をスタートさせる。
Ｓ２０５）検索された情報の取得を開始する。
Ｓ２０６）情報の取得終了する。
Ｓ２０７）取得した情報を画像情報として出力装置１へ送信する（プリントアウトする）か判断し、送信するときはステップＳ２０８に進み、送らないときはステップＳ２１０に進む。
Ｓ２０８）情報取得料及び情報出力料を課金清算する。
Ｓ２０９）出力装置１へ前記画像情報を送信し出力処理を行い、動作を終了する。
Ｓ２１０）情報取得料のみを課金清算し、動作を終了する。
Ｓ２１１）課金処理をスタートせずに、検索された情報の取得を開始する。
Ｓ２１２）情報の取得終了する。
Ｓ２１３）取得した情報を画像情報として出力装置１へ送信する（プリントアウトする）か判断し、送信するときはステップＳ２１４に進み、送信しないときは動作を終了する。
Ｓ２１４）出力装置に送信し、動作を終了する。
【００２８】
以上説明したように、各実施例によれば、以下のようなすぐれた効果を発揮する。コピーサービスとして使用されるデジタル複合機をネットワークプリンタとして提供することができるので、コンビニエンス顧客向けとコンビニエンス店員向けと、別々の出力機器を所有する必要がなく、コスト削減と省スペースに効果を発揮する。また、コピーサービスとしてデジタル複合機を提供している環境下においても、設置先の関係者（コンビニエンスストアの店員）であれば自由に（問題なく）使用することができる環境となり、出力作業、情報確認作業の効率化に効果を発揮する。そして、コピーサービスとして出力装置を使用中は、プリントサービスとしての出力を待機させておくことで、別々の顧客の出力物が混ざるのを防ぎ、出力装置を利用している顧客の混乱を招くこともなく、設置先の関係者が出力機として使用する場合は、第三者への情報の漏洩も防ぐことができる。また、情報検索サービスの端末のみの操作（課金処理）で所望する情報の出力が完了するので、情報端末と出力機と両方で課金する必要がなくなり、より効率よくサービスの運用を可能とする。さらに、情報そのものが有料化されている場合も、そのサービスに対応することが可能である。また、有料情報提供サービスと無料情報提供サービスに対応できるので、コンビニエンスストア顧客向けの情報（有料情報）と設置先の関係者（コンビニエンスストアの店員）向けの情報とを区別することができ、より効率よく、情報の伝達が可能となる。
【００２９】
なお、上記実施例では、画像情報出力システムについて説明したが、第２の画像情報入力部から入力されて画像情報出力部から出力される画像情報に対する課金管理を行わない機能、第１の画像情報入力部から入力される画像情報を画像情報出力部から出力する際に、課金管理部による課金処理を行わないことができるモードとする機能、画像情報出力部において一方の画像情報入力部から入力された画像情報の出力を行っているときは、他方の画像情報入力部から入力された画像情報の出力を禁止する機能、データベースから検索して得た情報を画像情報出力部から出力する際に、検索して得た情報に応じて課金処理を行う機能、又は、第２の課金管理部が画像情報出力部から出力される検索して得た情報に基づいて課金処理を行わない第２非課金モードとする機能、をコンピュータに実現させるためのプログラムをコンピュータ読取可能な記録媒体（例えば、ＣＤ−ＲＯＭ等）に格納することは可能であり、そして、この記録媒体を使用することにより、従来の出力装置等を本発明の出力装置等として機能させることができる。
【図面の簡単な説明】
【００３０】
【図１】実施例１の画像情報出力システムの説明図。
【図２】実施例２の画像情報出力システムの説明図。
【図３】実施例３の画像情報出力システムの説明図。
【図４】実施例１〜３における出力装置の動作内容を例示したフロー説明図。
【図５】実施例３における情報端末の動作内容を例示したフロー説明図。
【符号の説明】
【００３１】
１  出力装置
１１  イメージコントロールユニット（ＩＣＵ）部
１２  プリントエンジン部
１３  課金管理部
１４  インターフェース部
１５  スキャナ部
１６  操作部
２１、２２、２３  パーソナルコンピュータ
３  情報端末
３１  表示部
３２  操作部
３３  ＣＰＵ部
３４  課金管理部
４  本社データベース
５  データベース
【図１】
2004312778.tif 000003
【図２】
2004312778.tif 000004
【図３】
2004312778.tif 000005
【図４】
2004312778.tif 000006
【図５】
2004312778.tif 000007
【手続補正書】
【提出日】平成16年9月1日(2004.9.1)
【手続補正１】
【補正対象書類名】特許請求の範囲
【補正対象項目名】全文
【補正方法】変更
【補正の内容】
【特許請求の範囲】
【請求項１】
出力装置と情報端末とを具備する画像情報出力システムであって、
前記出力装置は、画像情報を入力する第１の画像情報入力部と、前記情報端末から送信された画像情報をインターフェースを介して入力する第２の画像情報入力部と、前記第１の画像情報入力部及び前記第２の画像情報入力部からそれぞれ入力された画像情報を出力する画像情報出力部と、前記第１の画像情報入力部から入力されて前記画像情報出力部より出力される画像情報の出力に対する課金処理を行う第１の課金管理部と、を備え、
前記情報端末は、データベースに接続され、該データベース内の所望の情報を取得し、取得した情報を画像情報として前記出力装置へ送信する場合に、前記出力装置へ送信する画像情報の取得と該画像情報の出力に対する課金処理を行うとともに、取得した情報を前記出力装置へ送信しない場合に、画像情報の取得に対する課金処理を行う第２の課金管理部を備えることを特徴とする画像情報出力システム。
【請求項２】
出力装置と情報端末とを具備する画像情報出力システムであって、
前記出力装置は、第１の課金管理部と、画像情報を入力する第１の画像情報入力部と、前記情報端末から送信された画像情報をインターフェースを介して入力する第２の画像情報入力部と、入力された画像情報を出力する画像情報出力部と、を備え、
前記情報端末は、データベースに接続され、該データベース内の所望の情報を取得するとともに、第２の課金管理部を備え、
前記第１の課金管理部は、前記第１の画像情報入力部から入力され、前記画像情報出力部より出力される画像情報の出力に対する課金処理を行い、
前記第２の課金処理部は、前記画像端末が前記データベースから取得した所望の情報を画像情報として前記出力装置へ送信して前記画像情報出力部にて出力する場合に、取得した情報の取得と該画像情報の出力に対する課金処理を行うとともに、取得した情報を前記出力装置へ送信しない場合に、画像情報の取得に対する課金処理を行うことを特徴とする画像情報出力システム。
【手続補正２】
【補正対象書類名】明細書
【補正対象項目名】０００７
【補正方法】変更
【補正の内容】
【０００７】
本発明は、出力装置と情報端末とを具備する画像情報出力システムであって、前記出力装置は、画像情報を入力する第１の画像情報入力部と、前記情報端末から送信された画像情報をインターフェースを介して入力する第２の画像情報入力部と、前記第１の画像情報入力部及び前記第２の画像情報入力部からそれぞれ入力された画像情報を出力する画像情報出力部と、前記第１の画像情報入力部から入力されて前記画像情報出力部より出力される画像情報の出力に対する課金処理を行う第１の課金管理部と、を備え、前記情報端末は、データベースに接続され、該データベース内の所望の情報を取得し、取得した情報を画像情報として前記出力装置へ送信する場合に、前記出力装置へ送信する画像情報の取得と該画像情報の出力に対する課金処理を行うとともに、取得した情報を前記出力装置へ送信しない場合に、画像情報の取得に対する課金処理を行う第２の課金管理部を備える画像情報出力システムである。
【手続補正３】
【補正対象書類名】明細書
【補正対象項目名】０００８
【補正方法】変更
【補正の内容】
【０００８】
また、本発明は、出力装置と情報端末とを具備する画像情報出力システムであって、
前記出力装置は、第１の課金管理部と、画像情報を入力する第１の画像情報入力部と、前記情報端末から送信された画像情報をインターフェースを介して入力する第２の画像情報入力部と、入力された画像情報を出力する画像情報出力部と、を備え、前記情報端末は、データベースに接続され、該データベース内の所望の情報を取得するとともに、第２の課金管理部を備え、前記第１の課金管理部は、前記第１の画像情報入力部から入力され、前記画像情報出力部より出力される画像情報の出力に対する課金処理を行い、前記第２の課金処理部は、前記画像端末が前記データベースから取得した所望の情報を画像情報として前記出力装置へ送信して前記画像情報出力部にて出力する場合に、取得した情報の取得と該画像情報の出力に対する課金処理を行うとともに、取得した情報を前記出力装置へ送信しない場合に、画像情報の取得に対する課金処理を行う画像情報出力システム。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２５
【補正方法】変更
【補正の内容】
【００２５】
実施例３を説明する。本実施例の画像情報出力システムは、図３に示すように、実施例１（図１参照）の出力装置１に、インターフェース部１４を介して、コンビニエンスストア内に設置された情報端末３に接続されている状態を示している。情報端末３は、情報表示部３１、操作部３２、課金管理部（第２の課金管理部）３４、ＣＰＵ部３３を兼ね備え、インターネット等を介して、データベース５に接続されている。コンビニエンスストアの顧客は、情報端末３を使用して、データベース５内の情報を検索することができる。データベース５内の所望の情報を、出力装置１にて出力する場合、情報端末３のＣＰＵ部３３が出力指示を確認後、所望の情報の画像情報を出力装置１に送信する。さらに、情報端末３の課金管理部３４は、ＣＰＵ部３３より前記画像情報に関する情報を取得し、その画像データに関して課金処理を行うか否かを判断し、必要な場合にのみ必要なだけの課金処理を行う。前記画像情報はインターフェース部１４を介して、出力装置１に送られ出力処理されるが、このとき、出力装置１の課金管理部１３による課金は行わない（第２非課金モード）。以上により、情報端末３側のみの操作（課金処理）で所望する情報の出力指示が可能となり、さらに、有料情報提供サービスと無料情報提供サービスとの、両方のサービスに対応できる。